Podtech/llm-jp-corpus-v4-ja_patent huggingface dataset:
(57)【要約】【課題】  ビタミンやミネラル、繊維質を豊富に含むと共に、従来にない独特の風味と味覚を有する健康・美容補助飲料を提供する。【解決手段】  白米または玄米、発芽玄米、籾米に、麦類、豆類、コーン等の雑穀類を加えて、炊くか、蒸すか、または焙煎するか、発酵させるかした主原料（１）に対して、果実類や草木花根菜類、野菜類、茶類、魚介類、海草類、藻類、卵類、肉類、乳類、炭酸ソーダー、ドライフーズ食品等の副材料（２）を混入し、これに適量の天然水（３）を添加してミキサー（Ａ）にかけて混合粉砕すると共に、これを抽出・濾過機（Ｂ）にて抽出・濾過し、且つ殺菌装置（Ｃ）によって殺菌処理して得る米入り混合飲料水。【選択図】    図１
2005270084.tif 000002
【特許請求の範囲】
【請求項１】
白米または玄米、発芽玄米、籾米に麦類、豆類、コーン等の雑穀類を加えて、炊くか蒸すか、または焙煎するか、発酵させるかした主原料（１）に対して、果実類や草木花根菜類、野菜類、茶類、魚介類、海草類、藻類、卵類、肉類、乳類、炭酸ソーダー、ドライフーズ食品等の副材料（２）を混入しこれに適量の天然水（３）を添加してミキサー（Ａ）にかけて混合粉砕すると共に、これを抽出・濾過機（Ｂ）にて抽出・濾過し、且つ殺菌装置（Ｃ）によって殺菌処理して得た米入り混合飲料水。
【発明の詳細な説明】
【発明の詳細な説明】
【技術分野】
【０００１】  本発明は、米を主原料とした新規な混合飲料水に関するものである。
【背景技術】
【０００２】  従来、米は日本の主食であり、ご飯を初め粥や雑炊、お握りなどが一般的である。また、煎餅や蒸しパン、米うどん、団子、清酒、濁り酒、甘酒などが知られている。
【発明が解決しようとする課題】
【０００３】  米を主原料とした食品は多々あるが、飲料としては酒類を除けば殆どなく、ジュース的な飲料としては更に少ない。
【０００４】  そこで本発明は、米を主原料とすると同時に、その栄養バランスの偏りをなくすべく、玄米や発芽玄米、籾米を併用すると共に、他の雑穀類（麦類、豆類、コーン等）を混入する。更に必要に応じて果実類や草木花根菜類、野菜類、茶類、魚介類、海草類、藻類、卵類、肉類、乳類、炭酸ソーダー、ドライフーズ食品等を混入して精製することによって、極めて栄養価の高い美味な健康飲料水を得ようとするものである。
【課題を解決するための手段】
【０００５】  白米または玄米、発芽玄米、籾米に、麦類、豆類、コーン等の雑穀類を加えて、炊くか蒸すか、または焙煎するか、発酵させるかした主原料（１）に対して、果実類や草木花根菜類、野菜類、茶類、魚介類、海草類、藻類、卵類、肉類、乳類、炭酸ソーダー、ドライフーズ食品等の副材料（２）を添加混合する。この時、その混合品種や混合割合は自由に選択できる。
【０００６】  しかして上記混合品に、適量の天然水（３）を添加してその濃度を調整し、且つミキサー（Ａ）にて混合粉砕する。これを抽出・濾過機（Ｂ）にて抽出・濾過すると共にその抽出・濾過液を殺菌装置（Ｃ）によって殺菌処理して瓶詰や缶詰、袋詰、パック詰、ボトル詰して提供するものである。
【発明の実施の形態、実施例】
【０００７】  白米または玄米、発芽玄米、籾米に、麦類や豆類、コーン等の雑穀類を加えて、炊くか、蒸すか、または焙煎するか、発酵させるかした主原料（１）に対して、果実類や草木花根菜類、野菜類、茶類、魚介類、海草類、藻類、卵類、肉類、乳類、炭酸ソーダー、ドライフーズ食品等の副材料（２）を混入し、これに適量の天然水（３）を添加してその濃度を調整し、ミキサー（Ａ）にかけて混合粉砕する。これを更に抽出・濾過機（Ｂ）にて抽出・濾過し、高濃度の抽出・濾過液を得る。また更に、これを殺菌装置（Ｃ）にて殺菌処理して本発明米入り混合飲料水（Ｘ）を得る。これを瓶詰や缶詰、袋詰、パック詰、ボトル詰（Ｄ）にして提供する。
【０００８】  なお、前記抽出・濾過機（Ｂ）にて抽出・濾過したあとの残粕（４）は、小麦粉等やドライフーズ食品粉末等を添加し、または添加せずに成型し、焼菓子や焼成パン、スナックなどの栄養補助食品として風味豊かに提供することができる。
【発明の効果】
【０００９】  ビタミンやミネラル、繊維質を豊富に含むと共に、従来にない独特の風味や味覚を有し、健康補助飲料として有益な米入り混合飲料水を提供するものである。
【図面の簡単な説明】
【図１】  本発明の製造工程図
【符号の説明】
１      主原料
２      副材料
３      天然水
４      残粕
Ａ      ミキサー
Ｂ      抽出・濾過機
Ｃ      殺菌装置
Ｄ      瓶詰
Ｘ      米入り混合飲料水
【図１】
2005270084.tif 000003
(57)【要約】【課題】温泉の源湯の熱源を利用し、天然原石類及びトルマリン原石、トルマリン樹脂プレ−トを加温、遠赤外線やマイナスイオンと温泉源泉に含まれるミネラルを放出させ、発汗作用を促し、疲労回復や健康促進を図るとともに癒しとリラクゼ−ションを与える温浴空間施設を提供するものである。【解決手段】室内の床面に断熱材（２）、トルマリン混入モルタル層（３）を設け其の上に熱源の温泉源泉流通管（４）を設置、天然原石類（５）を敷きその上にトルマリン原石層（６）天然原石類層（７）トルマリン樹脂プレ−ト（８）を設け遠赤外線とマイナスイオンを発生させ更に周囲に設置した温泉源泉流通樋（９）と温泉源泉蒸発孔（１０）とによりミネラルを放出させた温浴空間施設の提供を特徴とするのである。【選択図】  図１
2005270619.tif 000002
【特許請求の範囲】
【請求項１】
建物の内部床面に温泉源泉の熱を利用し、天然原石類及びトルマリン原石、トルマリン樹脂プレ−トを加温し遠赤外線、マイナスイオンを発生させ且つ温泉源泉に含まれるミネラル成分を放出させる事により疲労回復、食欲増進、病後の療養、改善するとともに癒し効果並びにリラクゼ−ションを与える温浴空間施設を提供することを特徴とする。
【請求項２】
温浴室床面の加温熱源に電気抵抗ヒ−タ、焼却炉及び温水または蒸気ボイラ−の排熱及び温水を利用したことを特徴とする請求項１に記載する温浴空間施設。
【請求項３】
上記請求項１、請求項２に甲殻類、貝類、炭類の粒子又は粉末とセラミック類を混合させた層を加え更に抗菌、消臭の効果を付加したことを特徴とする温浴空間施設。
【発明の詳細な説明】
【技術分野】
【０００１】本発明は、温泉源泉の熱を利用して加温し天然原石類の遠赤外線及びマイナスイオンを発生させ又、温泉源泉を室内の周辺に設けた樋に流通させ源泉に含まれるミネラル成分を蒸発、加湿させリラクゼ−ションと健康の促進をするための入浴空間施設の提供に関するものである。
【背景技術】
【０００２】従来の健康促進や疲労回復、病後の療養に転地療養や温泉場への湯治療養が一般的に利用されており又、其の為には時間や場所、期間の制約という欠点がある。
【発明の開示】
【発明が解決しようとする課題】
【０００３】従来のサウナや熱砂浴では、身体に対しての重圧感や呼吸及び心臓に対しての負担があり又温泉入浴では長時間の入浴による湯当たりや湯疲れ等がある。本発明は、その様な欠点を改善し、温泉源泉に含まれるミネラル成分と天然原石類の遠赤外線及びマイナスイオンを発生させた低温熱空間によりリラクゼ−ションを与え体内の活性化をはかり健康促進、疲労回復や心身の安定をあたえる入浴空間施設を提供するものである。
【課題を解決する為の手段】
【０００４】本発明は、上記目的を達成する為天然原石のトルマリン微粉末又は粒子を混練したモルタル層を設け、その上に温泉源泉が流通する架橋ポリ管又は銅管を施設し天然原石類の研磨石を敷きその上にトルマリン研磨石を敷きさらに天然原石類の研磨石を敷き詰めマイナス電子を発生するトルマリン樹脂プレ−トを敷き温度を保つ。又回りに温泉源泉を流通する開放パイプを設け温泉源泉に含まれるミネラル成分を蒸発させると共に室内の湿度を調整する。
入浴者はマイナスイオンと遠赤外線及び温泉源泉に含まれるミネラル成分の空間に、横になり或いは座り又内部にある椅子等に腰掛たりまったく自由な姿勢で温浴することが出来る。
室内空間に発生する遠赤外線は人体に穏やかな加温を与えより体内の内部より発汗作用を促し汗と一緒に老廃物や発ガン物質といわれる重金属類や毒素の一部も排出し皮膚細胞の活性化を促し又温泉源泉に含まれるミネラル成分が体内に吸収されとともにマイナスイオンの効果により自律神経の均衡をはかります。
【発明の効果】
【０００５】本発明は、温泉源泉の温熱を利用し天然原石類を加温し、マイナスイオンや遠赤外線を発生させ穏やかな加温により体内への発汗作用を促進、細胞の活性化をはかり老廃物や有害物質を体外へ排出する。
【０００６】温浴室内に温泉源泉を流通させる事により、源泉に含まれるミネラル成分を室内に放出させ温泉に入浴したのと同じ効果を得る事が出来る。
【０００７】温泉源泉自体の温熱により暖められたトルマリン原石や他の天然原石類からは穏やかに遠赤外線やマイナスイオンが発生し人体をゆるやかに加温し血液の循環を促進、疲労回復、食欲増進、細胞の活性化を促す。
【０００８】又、室内に発生するミネラル成分を吸収する事により快眠や免疫の向上、諸病の予防等の効果が得られる。
【０００９】ボイラ−等による循環式熱源に比べ温泉源泉の温熱を利用するので、特別な熱源を設ける必要も無く燃料も必要としない為にコスト的にも安価である。
【発明を実施するための最良の形態】
【００１０】本発明の実施の１形態について添付図面により説明すると図１の（Ａ）は温浴室内の床面の平面図であり、（Ｂ）はＡ図のＡ−Ａ’部分の縦断面図である。
【実施例】
【００１１】図１のＡの一番上は天然原石類（５）と格子状トルマリン樹脂プレ−ト（８）よりなり入浴者はこの上でパジャマ又はＴシャツ、短パン、浴衣等で寝たり、腹這になったり、座ったりと自由な姿勢で温浴しリラックスする事ができる。【００１２】図１のＢ縦断面図における最下層部は基礎コンクリ−ト（１）であり其の上の層は断熱材（２）の層である。又この上には、トルマリン粉末又は粒子を混入したモルタル層（８）を設け、其の上に温泉源泉を流通させる架橋ポリ管又は銅管（４）を設置さらにその周りに天然原石類（５）を敷き詰める。【００１３】この天然原石類（５）の上にトルマリン原石層（６）を設けさらに其の上に天然原石類（７）を敷き詰めトルマリン樹脂プレ−ト（８）を敷き下層部の温泉源泉の架橋ポリ管または銅管（４）を流通する熱により加熱され加熱温度は４２°Ｃ〜５５°Ｃに上昇する。【００１４】又浴室内の周りに設けられた源泉流通樋（９）に流れる源泉湯から源泉蒸発孔（１０）より蒸発する源泉により室内の湿度の調整を行うと同時に源泉に含まれるミネラル成分を放出する。【００１５】入浴者はこのような浴室内で自由な状態で温浴が出来且つ遠赤外線のマイルドな加温やマイナスイオンによる癒し効果とミネラル成分を吸収しリラクゼ−ションすることが出来る。【００１６】又図２に示すように最上部に敷くトルマリン樹脂プレ−ト（８）は必要に応じて床面全部に敷くこともできるが１／２或いは１／３にする事も可能である。
【図面の簡単な説明】
【００１６】
【図１】（Ａ）温浴室床面の平面図  （Ｂ）（Ａ）図の内Ａ−Ａ’の縦断面図
【図２】（Ａ）温浴室床面上のトルマリン樹脂プレ−トを１／２敷き詰めた状態の平面図  （Ｂ）（Ａ）図の内Ａ−Ａ’の縦断面図
【符号の説明】
１・・・基礎コンクリ−ト
２・・・断熱材
３・・・トルマリン混入モルタル層
４・・・温泉源泉流通管
５・・・天然原石類層
６・・・トルマリン原石層
７・・・天然原石層
８・・・トルマリン樹脂プレ−ト
９・・・温泉源泉流通樋
１０・・温泉源泉蒸発孔
【図１】
2005270619.tif 000003
【図２】
2005270619.tif 000004
(57)【要約】      （修正有）【課題】従来の安眠補助具では、常に胸を圧迫している重さをとる物ではなく、肩や首などの重さをとることばかりに集中していて胸の圧迫感に気がついていないことである。【解決手段】本発明は、このような問題点を解決しようとするものであり図面１の１に手を置くことにより胸の圧迫感をとり安眠することができることを目的としたものである。【選択図】図１
2005270613.tif 000002
【特許請求の範囲】
【請求項１】
主に、明細書のＡ〜Ｒ（最良の形態・実施例の欄）のような寝姿勢で押圧をサポートし、就眠に満足できない人の就眠を補助する安眠補助具。
【請求項２】
構造から素材は、金属・合板・プラスチック・ウレタン・板材などの材質でも製作可能な請求項１記載の安眠補助具。
【発明の詳細な説明】
【技術分野】
【０００１】本発明は、不眠症の人の安眠を図った安眠補助具である。
【発明の開示】
【発明が解決しようとする課題】
【０００２】従来の安眠補助具では、常に胸を圧迫している重さをとる物ではなく、肩や首などの重さをとることばかりに集中していて胸の圧迫感に気がついていない。【０００３】本発明は、このような問題点を解決しようとするものであり図面１の１に手を置くことにより胸の圧迫感をとり安眠することができることを目的としたものである。
【課題を解決するための手段】
【０００４】主に、明細書（最良の形態・実施例の欄）のＡ〜Ｒのような寝姿勢で押圧をサポートする。
【発明の効果】
【０００５】上記のように本発明の安眠補助具は、胸の圧迫感をとるため使用者に安眠を提供することができる。【０００６】また、手を置いたときにひじがあたらないよう図面１の２のようなへこみを作った。
【発明を実施するための最良の形態】
【実施例】
【０００７】・  Ａ上向楽枕・Ｂ右横向楽枕・Ｃ左横向楽枕・Ｄダッコ楽枕・Ｅブリッジ楽枕・  Ｆ宇宙楽枕・Ｇ頭枕圧・Ｈ頸部枕圧・Ｉ肩枕圧・Ｊ背枕圧・Ｋ腰枕圧・Ｌ臀部枕圧・  Ｍ脹脛枕圧・Ｎ腱枕圧・Ｏ足底枕圧・Ｐ上腕枕圧・Ｑ下腕枕圧・Ｒ掌枕圧
【図面の簡単な説明】
【０００８】【図１】本発明を正面から見た外観図
【図１】
2005270613.tif 000003
(57)【要約】【課題】使用者の足裏のカーブに柔軟に対応し、土踏まずのつぼと他の足裏のつぼを複数同時にマッサージすることができる、簡易足裏マッサージ器具を提供する。【解決手段】半球状の円盤上に半球状の窪みを複数個成型する。窪みは円盤の頂点に１個、さらにその周囲に複数個配置する。それぞれの窪みの中に小球体を入れる。使用に際しては土踏まずを頂点の小球体に、他の足裏部分は輪状に配置した小球体にあてがい、足裏を前後左右自在に動かしてマッサージすることを特徴とする足裏マッサージ器具。【選択図】  図１
2005270614.tif 000002
【特許請求の範囲】
【請求項１】
半球状に盛り上がった円盤を支持体とする。円盤の盛り上がりはおよそ土踏まずの高さとする。円盤の表面に半球状の窪みを複数個成型する。窪みは円盤の頂点に１個、さらにそれを囲んで輪状に複数個配置する。それぞれの窪みの中に小球体を入れる。使用に際しては土踏まずを頂点の小球体に、他の足裏部分は輪状に配置した小球体にあてがい、足裏を前後左右自在に動かしてマッサージする。以上を特徴とする足裏マッサージ器具である。
【発明の詳細な説明】
【技術分野】
【０００１】  本発明は、足裏部のカーブに柔軟に対応し、土踏まずのつぼと他の足裏部分のつぼを複数同時にマッサージするための、簡易足裏マッサージ器具に関するものである。
【背景技術】
【０００２】  従来の足裏マッサージ器具は足裏のつぼの位置関係を平面的にとらえ、固定もしくは一定方向に可動する突起物などに足裏のつぼをあてがってマッサージをおこなう方式が主流である。したがってマッサージ器具使用に際しては、足とマッサージ器具の接触角度や位置関係を頻回に調節しなければならなかった。
【発明の開示】
【発明が解決しようとする課題】
【０００３】  そのために、次のような問題点があった。
足裏の形状は平面ではなくて土踏まずを頂点とする曲線を前後左右に描いた立体的なものである。したがって、平面上に配置した突起物は使用者の足裏部カーブに密着せず、土踏まずのつぼと他の足裏の部分のつぼを複数同時に効率よくマッサージすることが困難であった。
本発明は以上の問題点を解決しようとするものである。
【課題を解決するための手段】
【０００４】  半球状に盛り上がった円盤（１）を支持体とする。円盤（１）の盛り上がりはおよそ土踏まずの高さとする。円盤（１）の表面に半球状の窪み（２）を複数個成型する。窪み（２）は円盤（１）の頂点に１個、さらにそれを囲んで輪状に複数個配置する。それぞれの窪み（２）の中に小球体（３）を入れる。使用に際しては足裏（４）の土踏まずを頂点の小球体（３）に、他の足裏部分は輪状に配置した小球体（３）にあてがい、足裏（４）を前後左右自在に動かしてマッサージする。以上を特徴とする足裏マッサージ器具である。
【発明の効果】
【０００５】  本発明は、使用者の足裏カーブの形状の違いを問わず、土踏まずのつぼと他の足裏の部分のつぼを複数同時にマッサージすることが可能である。したがってマッサージ器具と足裏の複数のつぼを密着させるために足の角度や位置を調節しなければならないというわずらわしさがない。
【発明を実施するための最良の形態】
【０００６】  以下、本発明の実施の形態を説明する
（イ）中央が凸に盛り上がった半球状の形態をした円盤（１）を支持体とする。円盤（１）の盛り上がりの高さはおよそ土踏まずの高さとする。
（ロ）円盤（１）の頂点に半球状の窪み（２）を１個成型し、さらにそれを輪状に囲んで頂点を中心とした点対称の位置に同様の窪み（２）を複数個形成する。
（ハ）円盤（１）の材質にはプラスチック、ゴム、木材、金属、セラミック、石など表面の滑らかなものが適当である。
（ニ）それぞれの窪み（２）の中に窪みの直径より小さくて、半径より大きな小球体（３）を配置する。
（ホ）小球体は（３）プラスチック、ゴム、木材、金属、セラミック、石などで足裏（４）を傷つける可能性のない材質で作成する
（ヘ）材質とサイズの異なった小球体（３）を数種類作成する。
本発明は以上の構成よりなっている。
本発明を使用するときには、足裏（４）の土踏まずを頂点の小球体（３）に、足裏（４）の他の部分は輪状に配置した小球体（３）にまんべんなく密着させ、円盤（１）のカーブに沿って足裏（４）を前後左右自在に動かす。とくにマッサージしたい部位はそのつぼを小球体（３）に移動させて軽く重心をかける。異なったサイズと材質の小球体（３）を適宜組み合わせることで使用者の足裏カーブと好みの使用感にあわせることができる。また本器具は円盤の頂点を中心とした対象形であるため使用時の設置方向は自由であり、かつ器具の位置変更なしに左右の足を交互にマッサージできる。円盤（１）と小球体（３）の材質の組み合わせによって軽量化でき、旅行やスポーツや旅行時に携帯が可能となる。
【図面の簡単な説明】
【０００７】
【図１】本発明の斜視図
【図２】本発明の平面図
【図３】本発明の使用状態を示す図２のＡ−Ａ線断面図
【符合の説明】
【０００８】      １  円盤
２  窪み
３  小球体
４  足裏
【図１】
2005270614.tif 000003
【図２】
2005270614.tif 000004
【図３】
2005270614.tif 000005
(57)【要約】【課題】  クリーナー用粘着テープの粘着性能が低下したテープを切り込みどおりに容易に切り取りやすくすること。また、クリーナー用粘着テープ保持具の正面や裏面を確認することなく、正裏両面から切り取ること、さらに、クリーナー用粘着テープ端部を取りやすくすること。【解決手段】  クリーナー用粘着テープ１を引きはがす際に発生する合力のほぼ同じ方向に切り込み２をその端部が重なるようにクリーナー用粘着テープ端部３からもう片方のクリーナー用粘着テープ端部３まで、全体的形状としてはクリーナー用粘着テープ１にらせん状の切り取り線を設けたもの、及びクリーナー用粘着テープ端部３の粘着剤非塗布部６に凹凸加工部５を設ける。【選択図】  図１
2005270642.tif 000002
【特許請求の範囲】
【請求項１】
クリーナー用粘着テープを引き剥がす際に発生する回転方向に対し反対に働く力と回転方向に対し直角に働く力とのほぼ合力となる方向に切り込みと切り込みの無い部分を階段状に交互に設け、切り込み端部と次の切り込み端部を重ねるように設けたもの。
【請求項２】
クリーナー用粘着テープ端部の粘着剤非塗布部に凹凸を設けたもの。
【発明の詳細な説明】
【発明の詳細な説明】
【技術分野】
【０００１】  本発明は、らせん状の切り取り線及び粘着剤非塗布部に凹凸を設けたクリーナー用粘着テープに関するものである。
【背景技術】
【０００２】  従来のクリーナー用粘着テープでは、回転方向に対してほぼ直角な切り取り線やミシン目が入っているため切り取り線方向に対して引き剥がす際に発生する回転力を利用するもの、また、粘着剤非塗布部に凹凸の加工を施したものも無かった。
【発明が解決しようとする課題】
【０００３】  従来のクリーナー用粘着テープでは、切り取り線やミシン目が回転方向に対してほぼ直角なため、必ずしもその切り取り線やミシン目どおりに切れない場合やその切り取り線やミシン目の入った以外の部分で切れてしまうことが多かった。
引き剥がす際に片手は切り取るテープ側を引っ張り、もう片方の手はクリーナー用粘着テープの回転を抑えなければ切り取り線あるいはミシン目どおりに切り取りにくかった。また、クリーナー用粘着テープ保持具の使い勝手によっては、それを反対向きにしなければ切り取ることができなかった。
さらに、クリーナー用粘着テープ端部の上層とその下の層との隙間が密のためにクリーナー用粘着テープ端部が取りにくく手間がかかっていた。
今まで以上のような問題がありました。
【課題を解決するための手段】
【０００４】  上記課題を解決するために、本発明において、粘着性能が低下したテープを引き剥がす際にクリーナー用粘着テープ１が回転することを利用し、回転方向に対し反対に働く力と回転方向に対し直角に働く力とのほぼ合力となる方向に切り込み２と切り取るテープ側を引く力によって切断できる程度の切り込みの無い部分を階段状に交互に、また、切り込み２の端部と次の切り込み２の端部が重なるように、クリーナー用粘着テープ端部３からもう片方のクリーナー用粘着テープ端部３まで設ける。全体的形状としてはクリーナー用粘着テープ１にらせん状の切り取り線を設けたものとする。さらに、クリーナー用粘着テープ端部３の粘着剤非塗布部６に凹凸加工部５を設ける。
【発明を実施するための最良の形態】
【０００５】  次に本発明の実施の形態を述べると、クリーナー用粘着テープ１をクリーナー用粘着テープ保持具４に取り付けクリーナー用粘着テープ１を回転させながら、カーペット等に附着したゴミ、ほこりなどをクリーナー用粘着テープ１の表面に粘着させ、粘着性能が低下したテープをクリーナー用粘着テープ端部３の粘着剤非塗布部６に凹凸加工部５を設けた部分の切り込み２付近を持ち回転方向に引っ張ることによって切り込みの無い部分が回転方向と反対側に切断され連続して反対側のクリーナー用粘着テープ端部３まで切り取ることができる。この回転方向に引っ張るクリーナー用粘着テープ端部３は左右どちらの端部を選択しても良く、切り取るためにクリーナー用粘着テープ保持具４を正裏反対にする必要は無い。
【発明の効果】
【０００６】  本発明は、上記の様に構成されているので、引き剥がす際に切り取り易く、クリーナー用粘着テープの回転を抑えなくても切り取ることができ、クリーナー用粘着テープ保持具の使い勝手やクリーナー用粘着テープの回転方向を気にすることなく切り取ることができ、さらにクリーナー用粘着テープ端部に凹凸加工部があるため容易にクリーナー用粘着テープ端部が取りやすくなる。
【図面の簡単な説明】
【図１】  本発明の斜視図である。
【図２】  本発明の正面図である。
【図３】  本発明の裏面図である。
【図４】  本発明で切り取られたテープの正面図である。
【符号の説明】
１  クリーナー用粘着テープ
２  切り込み
３  クリーナー用粘着テープ端部
４  クリーナー用粘着テープ保持具
５  凹凸加工部
６  粘着剤非塗布部
７  粘着剤塗布部
【図１】
2005270642.tif 000003
【図２】
2005270642.tif 000004
【図３】
2005270642.tif 000005
【図４】
2005270642.tif 000006
(57)【要約】【課題】  浴室や温泉など水や洗剤が多用される場所において歩行する際、転倒事故に対し細心の注意を払いながらも、転倒事故に遭遇することがある。  特に、高齢化社会が進むにつれ、室内における転倒事故でケガをする約８割を高齢者が占め、その多くが浴室で発生している。また行動予測し難い子供においても、室内等での転倒事故に遭遇するケースが多く両親にとっては常に監視が必要である。【解決手段】  板状の生ゴム、または合成ゴムに対し穴あけ加工を行い、濡れた場所においても底面に水が溜まらない形状とし、足裏に直接装着する滑り止め防止具とする。【選択図】図１
2005270606.tif 000002
【特許請求の範囲】
【請求項１】
板状の生ゴム、または合成ゴムを足型状に加工し、且つ本体に対し大小複数の穴あけ加工を行い、濡れた場所においても足裏接触部・接地面共に水が溜まらない形状とし、足裏に直接装着する滑り止め防止具。
【発明の詳細な説明】
【技術分野】
【０００１】  本発明は室内および、浴室での滑りを防止するための器具に関する。
【背景技術】
【０００２】  従来の室内および浴室で使用するもので、直接足に装着する滑り防止器具には、靴形状を施したものがある（例えば、特許文献１参照。）。また、面ファスナーを配置しているものがある（例えば、特許文献２参照。）。
【特許文献１】特開２００１−２５４２０３号公報
【特許文献２】特開２０００−７３２０３号公報
【発明の開示】
【発明が解決しようとする課題】
【０００３】  浴室や温泉など水や洗剤が多用される場所において歩行する際、転倒事故に対し細心の注意を払いながらも、転倒事故に遭遇することがある。
特に、高齢化社会が進むにつれ、室内における転倒事故でケガをする約８割を高齢者が占め、その多くが浴室で発生している。また行動予測し難い子供においても、室内等での転倒事故に遭遇するケースも多い。
【課題を解決するための手段】
【０００４】  板状の生ゴム、または合成ゴムを足型状に加工し、且つ本体に対し大小複数の穴あけ加工を行い、濡れた場所においても足裏接触部・接地面共に水が溜まらない形状とし、足裏に直接装着する滑り止め防止具。
【発明の効果】
【０００５】  本発明は従来の発明品のように、足甲部を覆わない形状とし、装着使用時の違和感を最小限に抑え、また携帯性に優れ、装着が容易である為、日常品として気軽に使用できる形状である。
また、板状のゴム板の打ち抜き加工だけで、本発明品を完成することが出来、低コストかつ生産性に優れる為、提供価格を低く抑えることができ、誰でも本発明品の効果を受けられる。
【発明を実施するための最良の形態】
【０００６】  板状の生ゴムまたは、合成ゴムを足型に加工し、足前方には指１本以上に引っ掛ける穴と、足後方には踵部分あるいは足首部分に引っ掛かる穴を配置した形状とし、本体部分には、大小複数の穴もしくは網目状等の穴を空け、濡れた場所においても足裏との接触部・地面との接地面（底面）共に水が溜まらない形状とし、足裏に直接装着する。
【実施例】
【０００７】  図１のように、板状の生ゴムおよび合成ゴムを足型に打ち抜き加工し、１．を親指、２．を中指、３．を小指、４．を腫部分に引っ掛けるための穴開け加工を行う。さらに、足裏部分には排水性と滑り止め機能として大小複数の穴あけ加工、あるいは、網目状等の穴あけ加工を施す。
【図面の簡単な説明】
【０００８】
【図１】足滑り防止具の平面図である。（実施例１）
【図２】足滑り防止具を足に装着した説明図である。（実施例２）
【符号の説明】
【０００９】  １  親指挿入部
２  中指挿入部
３  小指挿入部
４  カカト挿入部
５  カカト装着部（滑り止め）
６  足裏滑り止め部
【図１】
2005270606.tif 000003
【図２】
2005270606.tif 000004
(57)【要約】      （修正有）【課題】操作が簡単で子供から老人まで、一人で塗布できる湿布貼り器で、材料入手容易、製作簡単、安価で出来るものを考案する。【解決手段】円柱木材の長さを僅かに違えることで、一方を回転させ、他方を固定して取っ手部分とする。同時に同じものを２個作り、一方を貼り付け式湿布薬をつるす役目に、他方を皺ができないように下へ引っ張って伸ばしてゆく錘の役目と下方へ引っ張る取っての役目をさせる。【選択図】図  １
2005270609.tif 000002
【特許請求の範囲】
【請求項１】
円柱木材の長さを僅かに違えることで、一方を回転させ、他方を固定して取っ手部分とする。同時に同じものを２個作り、一方を貼り付け式湿布薬を吊るす役目に、他方を皺ができないように下へ引っ張って伸ばしていく錘（おもり）の役目と下方へ引っ張る取っ手の役目をさせる。
【請求項２】
図面の同じ２つの器具を逆向きにしてａを上方へ、ｄを下方へ引っ張るとｂとｃが逆回転することで湿布を円柱棒から外すことが容易にできる。
【請求項３】
円柱棒の両端にキリで穴をあけ、スチール管を打ち込み、先端を切断した鉄釘を軸として円柱棒が回転するように、廉価で簡単に製作できるようにした。
【請求項４】
上記の３つの請求項を含む、この発明品の全体的アイディア。
【発明の詳細な説明】
【課題】
手の届かない背中に、しわにならないように湿布薬を一人で貼ることができるようにする。〔解決手段〕  図面１，２は同じものであり、湿布薬を台の上に置き、セロファン部をはがし、その両端に器具のｂ、ｃを載せると湿布薬がくっつく。  ａ部を手で持ってぶら下げると、２の部分が錘の役割をして湿布薬がピンと張る。それをそのまま背中側に移動して患部へ持って行き、ａ部を上方へ、ｄ部を下方へ引っ張ると、ｂ、ｃがそれぞれ回転し湿布薬だけが皺なくきれいに貼り付く。
【図面の簡単な説明】
【図１】 
2005270609.tif 000003
管を入れる。先端を切断した釘１２を１５×１５×１５０の角材に打ち、ｂが2005270609.tif 000004
の角材を使って釘１１で固定し、取っ手とする。図の２は図１と同じものを逆向きにして使用する。材料１５×１５×１５０角材４本（１４，２４）2005270609.tif 000005
３５鉄釘８本（１１，１２，２１，２２）
【図１】
2005270609.tif 000006
(57)【要約】【課題】住まいが高気密化したため、睡眠時の寝室のこもりがちだった空気の汚れ酸素濃度の低下の改善をより安価な価格の小さな装置で解消する。【解決手段】頭部、顔面を覆うカバー内枕に、酸素ボンベ、空気清浄機等から発生した酸素、新鮮な空気をホースで枕内下端から活性炭を介し直接鼻、口元に酸素、新鮮な空気を供給する。【選択図】図１
2005270607.tif 000002
【特許請求の範囲】
【請求項１】
頭部顔面を覆い囲むカバー、活性炭挿入した枕、枕内下端から、酸素が発生する健康維持安眠枕。
【発明の詳細な説明】
【技術分野】
【０００１】  本発明は、空気清浄機、健康を回復する為に必要とする精製去れた空気、酸素補給装置に関する。
【背景技術】
【０００２】  従来、病院等で症状を回復する為に、酸素を必要とする患者に酸素マスクを介し酸素ボンベより酸素を供給していた。【０００３】  疲労回復に酸素が適している事が公知去れているが一般家庭用酸素補給装置が普及していない。【０００４】  病気入院，退院自宅養生の際、酸素供給装置を使用する事が有るが、病院の医師のアドバイスを受けて酸素ボンベを介す酸素供給を受けて使用していた。【０００５】  スポーツ後の疲労回復に、手に持てる大きさの酸素ボンベが一部市場に出ている。【０００６】  枕内に備長炭を挿入された安眠枕と言う名前で市場に出ている。【０００７】  枕内に竹炭を入れたもの、鉱石を入れたもの等多種多様の安眠枕、健康枕として、市場に出ている。【０００７】  しかし、これ等の枕は、枕内に炭、鉱物が入っていると言うだけで、炭、鉱物の特徴を持っている保湿性、臭いの吸着性等の特性を睡眠時に、十分威力を発揮出来ずにいた。【０００８】  睡眠時の、呼吸する空気が、枕内の、炭、鉱物等の間を通ってくることが無く、空気の浄化、保湿性、臭いの吸着性等の特性を有意義に活用去れていない。【０００９】  近年、住宅の造りが気密性に優れ、各室が気密性を有するように出来ている。【００１０】  気密性が優れている分、寝室の睡眠時に部屋の空気が淀み、空気の汚れが大きく、部屋の空気の排気、外気の吸入換気が必要となってきた。【００１１】  風、インフルエンザ、ハウスダスト、花粉等の空気汚染が、様々な病気の原因となっている。【００１２】  空気の換気を行いながら空気を浄化するエアコンが、近年市場に多く出まわっている。
【特許文献１】公開番号：特願平８−１９６５７９
【特許文献２】公開番号：特開２００１−３２７３８３
【特許文献３】公開番号：特開２００１−１７８６０５
【発明の開示】
【発明が解決しようとする課題】
【００１３】  解決しようとする問題点は、睡眠時の寝室の、空気の淀み空気の汚れ、病後、肉体疲労、花粉症、風等の前触れの時など外気を精製去れた新鮮な空気、酸素を必要とし、空気の換気浄化、空気の酸素濃度、酸素供給するコストが高い点にある。
【課題を解決しようとする課題】
【００１４】  本発明は、酸素ボンベから発生した酸素に湿度を保水させる為に水槽内の水の中で酸素を発生させ、ホース通し枕内下端より枕内の活性炭を通過し鼻、口元に直接酸素が供給される
頭部、顔面を覆うカバー設ける事により精製去れた新鮮な空気、酸素の拡散を防ぎ効果的に唾眠時に酸素を体内に供給できる事を最も主要な特徴とする。
【発明の効果】
【００１５】  酸素ボンベの酸素の変わりに、エアーポンプを用い外気を水槽内の下端よりエアーストーで空気の気泡とし水を通し、ホースで枕内下端より枕内の活性炭を通過し鼻、口元に直接精製された、新鮮な空気を睡眠時に供給でき、外気を濾過して寝室内に供給出切る為、寝室内よりも酸素濃度の高い外気精製去れた新鮮な空気を寝室内に供給出きる特徴もある。
【発明を実施する為の最良の形態】
【００１６】  枕内より酸素、精製された新鮮な空気が直接口、鼻元で発生する為に、直接、体内に供給でき、又、頭部、顔面を覆うカバー設ける事で精製去れた新鮮な空気、酸素の拡散を防ぎ、より少ない部品点数で装置が出来、小さな発生装置で無駄なく効果的に睡眠時に酸素、新鮮な空気を供給が実現した。
【実施例１】
【００１６】  図１は、本発明の健康維持安眠枕の全体図【００１７】  図２は、頭部、顔面を覆うカバーを折畳んだ図である。【００１８】  図１内の枕に挿入去れている活性炭を、竹炭、備長炭、やしがら活性炭、等とし、活性炭の特性を有する吸着性、保湿性等の優れた特性を有すればどの様な活性炭でも活用できる。【００１９】  頭部、顔面を覆うカバーは、半円形又は、角形蛇腹折畳みが出来る構造とし、又、カバー上面を特に通気性に優れた生地とすることが好ましい。【００２０】  上記記述した頭部、顔面を覆うカバーの形状は、枕から発生した酸素、新鮮な空気の拡散を阻止でき、カバー上部から、空気酸素が放出出来る通気性の有する素材を設けていればどの様な形状の構造でも良く卵型その他形状でも良い。
【産業上の利用可能性】
【００２１】  酸素摂取は、肉体疲労回復、病中、病後の回復、若さの維持に効果がある。
高齢化にあたり、健康維持、若さの維持の為の新鮮な空気、酸素濃度の高い空気の需要が求められ、これ等に対応出来る。
【図面の簡単な説明】
【００２２】
【図１】本発明の健康維持安眠枕の全体図
【図２】頭部、顔面を覆うカバーを折畳んだ図
【符号の説明】
１  枕
２  活性炭
３  頭部、顔面を覆うカバー
４  ホース
【図１】
2005270607.tif 000003
【図２】
2005270607.tif 000004
(57)【要約】      （修正有）【課題】ふっくらご飯を常に炊くことができる炊飯器を提供する。【解決手段】圧力炊飯器１で炊飯完了（炊飯器内に水が無くなった時）と同時に放出弁２を開き、大気圧まで降圧させ、炊飯器内のご飯粒中の水分にフラッシュ蒸発を起こさせる。【選択図】図１
2005270601.tif 000002
【特許請求の範囲】
【請求項１】
圧力炊飯完了と同時に降圧し、フラッシュ蒸発させる炊飯方法
【発明の詳細な説明】
【発明の詳細な説明】
【０００１】［発明の属する技術分野］  圧力炊飯器（１）で炊飯完了（炊飯器内に水が無くなった時）と同時に、放出弁（２）を開き降圧し、ご飯粒中の水分をフラッシュ蒸発させる。
【０００２】［従来の技術］  炊飯完了後その圧力のまま、蒸らし、を経るのが一般である。
【０００３】［発明が解決しようとする課題］  ふっくらご飯を常に炊くことができる炊飯器の出現が望まれていた。ふっくらご飯とは、ご飯粒がよく膨らんで炊き上がったものとみて、ご飯粒を膨張させることを、課題とした。
【０００４】［課題を解決するための手段］  圧力炊飯器（１）で、炊飯完了（炊飯器内に水が無くなった時）と同時に、蓋（３）に取り付けた放出弁（２）を開き、内部蒸気を放出、降圧させる。
【０００５】［発明の実施の形態］  圧力炊飯器（１）で炊飯したご飯粒中の水分は、降圧によりフラッシュ蒸発が起こり、大気圧になるまで水蒸気となって放出され、その分、水分が減少する、この蒸発のとき、ご飯粒中に無数の放出孔を隈なく残し膨張状態になる。
【０００６】［発明の効果］  圧力炊飯のまま蒸らしたものと比べ、フラッシュ蒸発後に蒸らした方は、水分少なめで膨らんだものになり、ふっくらご飯となる。
【図面の簡単な説明】
【図１】本発明の斜視図
【符号の説明】
１  圧力炊飯器      ２  放出弁      ３  蓋
【図１】
2005270601.tif 000003
(57)【要約】【課題】  地上にいながら、飛行中に起きるパラグライダー操作時のハーネス状態を、よりリアルに再現することによりハーネスの調整、及び飛行中の疑似体験ができるパラグライダー用シミュレーターを提供する。【解決手段】支柱の上部にプーリーのついたスプリングを設け、ブレークコードをライザーのプーリーを通り、反対側の支柱上部のプーリーを介して本体フレーム後部の左右コーナーにそれぞれとりつけ、グリップを引くことにより本体フレーム、およびハーネスがバンクをかけながら回転することを特徴とするパラグライダー用シミュレーター。【選択図】  図１
2005270610.tif 000002
【特許請求の範囲】
【請求項１】
支柱の上部にプーリーのついたスプリングを設け、ブレークコードがライザーのプーリーを通り、反対側の支柱上部のプーリーを介して本体フレーム後部の左右コーナーにそれぞれとりつけられ、グリップを引くことにより本体フレーム、およびハーネスがバンクをかけながら回転することを特徴とするパラグライダー用シミュレーター。
【発明の詳細な説明】
【技術分野】
【０００１】  本発明は、地上にいながら、飛行中に起きるパラグライダー操作時のハーネス状態を、よりリアルに再現することによりハーネスの調整、及び飛行中の疑似体験ができる、パラグライダー用シミュレーターに関するものである。
【背景技術】
【０００２】  従来は、シミュレーターにハーネスを取り付け、ハーネスに座り込み体に合わせてハーネスのベルトの調整や座り心地などを試していた。
【発明の開示】
【発明が解決しようとする課題】
【０００３】  そのため次のような問題があった。
（イ）上空でのいろいろな動きに対しての不安があった。
（ロ）上空でブレ−クコードを操作した時に起こるバンクがかかった状態での旋回時のハーネスの状態、また、体重移動の掛け方などがわからなかった。
本発明は、以上の問題点を解決するためになされたものである。
【課題を解決するための手段】
【０００４】  支柱（１）の上部にプーリー（２）のついたスプリング（８）を設け、ブレークコード（５）はライザー（１０）のプーリー（４）を通り、反対側の支柱（１）上部のプーリー（２）を介して本体フレーム（３）後部の左右コーナーにそれぞれ取り付ける。フライヤーはハーネスをライザー（１０）のカラビナ（１１）に取り付け、グリップ（６）を引くことによりブレークコード（５）が各プーリーを通りそれに繋がれた本体フレーム（３）のコーナーが引かれ、これにより本体フレーム（３）及びハーネスが傾き、バンクをかけながら回転する。以上を特徴とするパラグライダー用シミュレーターである。
【発明の効果】
【０００５】  上空でのブレークコード操作時のハーネスの傾きがよくわかり、体重移動の掛け方や地上での練習に役立てることができる。
【発明を実施するための最良の形態】
【０００６】  以下、本発明の実施の形態について説明する。
（イ）４本の支柱（１）の上部に水平に橋渡しされた天頂軸（１２）の中央に支点（７）が設けられその支点から放射状に４方向に伸びたチェーン（９）に四角枠の本体フレーム（３）を吊り下げる。
（ロ）本体フレーム（３）の枠の対向する辺に、下端にリング（１４）を有するフック（１３）が複数設けられ、そのリングにライザー（１０）の先端を取り付ける。
（ハ）支柱（１）の上部にプーリー（２）のついたスプリング（８）を本体フレーム（３）の前縁より少し内側に設ける。
（ニ）グリップ（６）に繋がったブレークコード（５）をライザー（１０）に取り付いてあるプーリー（４）を通り、反対側の支柱（１）上部のスプリングのプーリー（２）を介して本体フレーム（３）後部の左右コーナーにそれぞれ取り付ける。
本発明は、以上の構造よりなっている。
本発明を使用するときは、まず、ハーネスをカラビナ（１１）に取り付けフライヤーがハーネスに座り込む。フライヤーは、左右のグリップ（６）を取り、旋回したいほうのグリップ（６）を引き込む。すると、このブレークコード（５）に繋がれた側の本体フレーム（３）のコーナーは、支柱（１）上部に取り付けたスプリング（８）とプーリー（２）を介してライザー（１０）のプーリー（４）を通りひっぱられることになる。このとき本体フレーム（３）のコーナーは支柱（１）上部のスプリング（８）のほうへ引き寄せられることになる。これによって本体フレーム（３）は、チェーン（９）によって支点（７）で支えられているため、グリップ（６）を引っ張ったほうへバンクをつけながら回転をはじめる。
また、実際のフライトでは、グリップ（６）を引っ張ってからすぐに機体、及びハーネスが反応するのではないのでこれをスプリング（８）を取り付けることによってタイムラグを生じさせ、尚且つ柔らかな旋回ができるようにしているのである。
【図面の簡単な説明】
【０００７】
【図１】本発明の斜視図
【図２】本発明の平面図
【図３】本発明の正面図
【図４】本発明の側面図
【図５】本発明の操作時の斜視図
【符号の説明】
【０００８】１    支柱
２    プーリー
３    本体フレーム
４    プーリー
５    ブレークコード
６    グリップ
７    支点
８    スプリング
９    チェーン
１０  ライザー
１１  カラビナ
１２  天頂軸
１３  フック
１４  リング部
【図１】
2005270610.tif 000003
【図２】
2005270610.tif 000004
【図３】
2005270610.tif 000005
【図４】
2005270610.tif 000006
【図５】
2005270610.tif 000007
(57)【要約】【課題】  半身浴時に、使用者が座面に腰掛けても、臀部の位置を安定させることができる浴槽を提供することを目的とする。【解決手段】  半身浴用の腰掛け部を備えた浴槽において、腰掛け部の座面が両側方に向けてせり上がる凹湾曲面状に形成されており、凹湾曲面状の座面の湾曲半径が１５００ｍｍが好ましい。【選択図】      図３  
2005270405.tif 000002
【特許請求の範囲】
【請求項１】
半身浴用の腰掛け部を備えた浴槽において、腰掛け部の座面が両側方に向けてせり上がる凹湾曲面状に形成されていることを特徴とする浴槽。
【請求項２】
凹湾曲面状の座面の湾曲半径が５００〜１６００ｍｍであることを特徴とする請求項１記載の浴槽。
【発明の詳細な説明】
【技術分野】
【０００１】
本発明は、半身浴に利用できる腰掛け部を備えた浴槽に関する。
【背景技術】
【０００２】
従来、半身浴用の腰掛け部を備えた浴槽として、腰掛け部の座面が先端側に徐々にせり上がり、座面の周囲に先端側に下り勾配の水切り溝が形成されたものが知られている。（例えば、特許文献１を参照。）。
【特許文献１】特開２００１─２５８７７７  （図３および図４）
【発明の開示】
【発明が解決しようとする課題】
【０００３】
ところで、特許文献１に記載の浴槽においては、腰掛け部の座面が両側に水平であるため、使用者の体型の違いによっては、座面に腰掛けたときに臀部の位置が定まらないことがある。例えば、痩せた人や筋肉質の人等は平坦面に座ったときに臀部の坐りが悪く半身浴では不安定であり快適さを損なう。
【０００４】
本発明は、このような事情に鑑みて、半身浴時に、使用者が座面に腰掛けても、臀部の位置を安定させることができる浴槽を提供することを目的としている。
【課題を解決するための手段】
【０００５】
このような目的を達成するために、請求項１に記載の発明に係わる浴槽（以下、「請求項１の浴槽」と記す）は、半身浴用の腰掛け部を備えた浴槽において、腰掛け部の座面が両側に向けてせり上がる凹湾曲面状に形成されていることを特徴としている。
【０００６】
請求項２に記載の発明に浴槽（以下、「請求項２の浴槽」と記す）は、請求項１の浴槽において、凹湾曲面状の座面の湾曲半径が５００〜１６００ｍｍであることを特徴としている。
【０００７】
請求項１の浴槽において、浴槽に使用される材料としては、例えば、不飽和ポリエステル、エポキシ等の熱硬化性樹脂にガラス繊維等の補強材を混在させた強化プラスチック（ＦＲＰ）が挙げられる。これらＦＲＰ材料を用いてハンドレアップ成形、スプレーアップ成形やプレス成形等の成形法によりＦＲＰ成形品が得られるが、その材質や成形法としては、特に限定されるものではない。
【０００８】
請求項２の浴槽において、座面の両側に向けてせり上がる湾曲半径が５００ｍｍより小さいとステップとして使用するときに踏み難く不安定であり、また、１６００ｍｍより大きいと臀部の坐りが悪く不安定である。
【発明の効果】
【０００９】
本発明の浴槽によれば、腰掛け部の座面が両側方に向けてせり上がる凹湾曲面状に形成されているので、座面に腰掛けたときに臀部の坐りが安定して、坐り心地がよく快適に半身浴を楽しむことができる。
【発明を実施するための最良の形態】
【００１０】
次に、本発明の実施の形態の一例を、図１〜５に基づいて説明する。  
【００１１】
図１は本発明の浴槽の一例を示す平面図、図２は図１におけるＡ−Ａ線矢視断面図、図３は図２におけるＢ−Ｂ線矢視断面図、図４は図２におけるＣ−Ｃ線矢視断面図、図５は同上浴槽の要部斜視図である。
【００１２】
図１〜２には本発明の半身浴ができる浴槽を示すものであり、この浴槽には、浴槽本体１の底面２より一段高い座面３１を有する腰掛け部３が設けられ、ＦＲＰで一体に成形されている。
【００１３】
図２に示す底面２には、最も低い位置に排水口４が形成されているとともに、底面２の表面自体に摩擦抵抗を大きくするようにエンボス加工を施したり、入浴者が滑って転倒をするのを防止するようになっている。また、浴槽本体１にはひじ掛け段部５がそれぞれ左右の側面に設けられており、このひじ掛け段部５にクリップ状突起を設けてもよい。クリップ状突起を設けると、入浴中の横臥した状態から起立する際に体を支える手掛かりとなる。
【００１４】
腰掛け部３は、その座面３１が背もたれ部３２に向けて低くなるように勾配が付けられており、座面３１の周囲には排水溝３３が形成されている。座面３１は浴槽の両側面１１、１２側に向けてせり上がる凹湾曲面状に形成されている。本実施の形態では座面３１の湾曲半径Ｒは、１５００ｍｍに選定されている。また、座面３１の表面には摩擦抵抗を大きくするようにエンボス加工を施しており、小さな子供や老人等が浴槽内に入り込む場合に、座面３１をステップ替わりに使用しても、滑って転倒をするのを防止するようになっている。
【００１５】
さらにまた、この座面３１と底面２から立ち上がって座面３１に至る起立壁面３３とが交わる縁部には、着座した入浴者の大腿部裏面が接触したときに不快感や痛みを伴わないよににＲ状に面取りされた形状とされている。なお、符号３４は腰掛け部３の左右に設けられるひじ掛け部である。
【００１６】
以上、本発明の実施の形態を図面に基づいて説明してきたが、具体的な構成はこの実施の形態に限られるものではなく本発明の要旨を逸脱しない範囲の設計変更等があっても本発明に含まれる。
【図面の簡単な説明】
【００１７】
【図１】本発明の浴槽の一例を示す平面図である。
【図２】図１におけるＡ−Ａ線矢視断面図である。
【図３】図２におけるＢ−Ｂ線矢視断面図である。
【図４】図２におけるＣ−Ｃ線矢視断面図である。
【図５】同上浴槽の要部斜視図である。
【符号の説明】
【００１８】
１            浴槽本体
２            底面                                                              ３            腰掛け部
３１          座面                                                              ３２          排水溝
【図１】
2005270405.tif 000003
【図２】
2005270405.tif 000004
【図３】
2005270405.tif 000005
【図４】
2005270405.tif 000006
【図５】
2005270405.tif 000007
(57)【要約】 【課題】従来のブラシは、毛先が摩滅した場合は使用不能となり、さらにブラシの幅も広く狭細部を磨くのには、ブラシの毛先が磨く部分に届きにくく効率良く磨くことが困難であったことから、毛先の摩滅に応じて毛先を伸ばすことが出来るように棒状で細いことから長寿命と狭細部を磨くことのできるブラシの提供。【解決手段】   把持部となる外部パイプ２に撚り線部４を通し外部パイプから出た一端をブラシの毛細部１とするもので、ストッパ部３は撚り線のぐらつき防止、端末部５は撚り線等の解れ防止を図るもので、外部パイプより撚り線等を長くした部分が毛先として利用でき、形が棒状のことから細く、長寿命と狭細部を磨けるブラシとなっている【選択図】  図１
2005270251.tif 000002
【特許請求の範囲】
【請求項１】
本ブラシは、金属または屈曲性のある樹脂の外部パイプ内に、外部パイプより幾分長い金属または樹脂あるいは天然素材の多数の細線を撚った撚り線、または多数の細線を束ねた束線を通し、外部パイプから出た撚り線または束線の一端をほぐし、この部分をブラシの毛先部とし、撚り線または束線の他端を端末部とし、毛先部から離れた反対側の外部パイプの一部と撚り線または束線の一部にかかるように熱収縮チューブ被せ、撚り線または束線のぐらつきを防止するストッパ部を設けた棒状の形体から成り、外部パイプを把持して使用するもので、毛先部が摩滅した場合は外部パイプ内を通る撚り線または束線を毛先方向に押し出し、撚り線、または多数の細線を束ねた束線を外部パイプより幾分長くした部分が新たな毛先部として連続使用できるものであり、形が棒状のことから毛先部が細くなり、長寿命と狭細部を磨けるブラシである。
【発明の詳細な説明】
【技術分野】
【０００１】
本発明は、毛先の寿命が長く狭細部を磨けるブラシに関するものである。    
【背景技術】
【０００２】
従来のブラシは、毛先が摩滅した場合使用不能となり、狭細部の一例として、バイクの空冷エンジンのシリンダーフィン間の錆除去では、ブラシの毛先の摩滅が早く、歯ブラシ形のブラシでは磨く箇所に毛先が届きにくく磨くことが困難で、錆を除去するにはサンドブラスト等複雑高度な設備と技術が必要であった。
【発明の開示】
【発明が解決しようとする課題】
【０００３】
しかしながら、一般人にはサンドブラスト等の高度な設備を導入するには問題があり簡便に磨けるブラシが必要である。  
【課題を解決するための手段】
【０００４】
本発明のブラシは、把持部となる金属または屈曲性のある樹脂の外部パイプの中に、外部パイプより長い毛先となる金属または樹脂あるいは天然素材の多数の細線を撚った撚り線、あるいは多数の細線を束ねた束線を通し、外部パイプの先端から出た撚り線または束線の細線の一端をほぐしブラシの毛先とし、毛先が摩滅した場合は、外部パイプ内の線を送り出すことにより長寿命なブラシとなり、さらに形状が棒状のことから細い物等多様なサイズの製作が可能であり、簡便に狭細部を磨くことを可能とした。  
【発明の効果】
【０００５】
以上のように、請求項１記載の発明によれば、ブラシの毛先となる撚り線等を外部パイプに比して長くした部分がブラシの毛先となり、撚り線等を長く製作するに比例しブラシの寿命も長くなり、形状が棒状のことから奥まった狭細部を簡便に磨くことができ、結果的に省資源に寄与する。
【発明を実施するための最良の形態】
【０００６】
本発明のブラシは、図１に示されるように、単純な構造で構成部品も少ないことから、製作には太さや長さの制約を受けず、毛先部１が摩滅した場合には、外部パイプ部２の内部を貫通する撚り線または束線部４を毛先部方向へ送り出すことによって、連続して使用でき、スットパ部３は撚り線等のぐらつき防止、端末部５は撚り線等の解れを防止するものであり、毛先が摩滅した場合外部パイプ内の撚り線部４を毛先方向に伸ばすことができ、形が棒状で細いことから長寿命で狭細部を容易に磨けるブラシである。
【図面の簡単な説明】
【０００７】
【図１】本発明に係わる長寿命と狭細部を磨けるブラシの構成を示す外観図である。
【符号の説明】
【０００８】
１・・・毛先部
２・・・外部パイプ部
３・・・ストッパ部
４・・・撚り線または束線部
５・・・端末部
【図１】
2005270251.tif 000003